(57)【要約】【課題】水中使用時に、小型のロック構造によって防水構造の蓋を自動的に閉状態にロックすることができるようにした防水型電子機器を提供する。【解決手段】付属品１５を収納する収納室１６の入り口用開口部分に、開閉可能に収納蓋１７を装着する。収納蓋１７が閉じられた状態で、収納室１６内に液体が侵入することを防止するよう防水手段１８を設置する。収納室１６の開口部分を収納蓋１７が水密を保って閉じた状態を保持するように係合構造で係止可能に構成する。ロック構造の一部である水圧を受けたロック部材１９が、防水型電子機器の本体側に嵌合することによって、閉じた状態にある収納蓋１７が開く方向へ移動することを制止するよう構成する。また、防水型電子機器が大気中にあるときは、ロック構造を構成するロック部材１９の防水型電子機器の本体側に対する嵌合が解除されて、収納蓋１７が開放可能となる。【選択図】図１
2011059236.tif 000002
【特許請求の範囲】
【請求項１】
電子機器の本体に形成され、付属品を収納する収納室と、
前記収納室の開口を開閉する蓋部材と、
前記蓋部材が前記収納室の開口を閉じた状態で、水圧を受けることで、前記蓋部材が前記収納室の開口を開く方向へ移動しないように、前記蓋部材と前記電子機器の本体と係合するロック部材と、
を有することを特徴とする電子機器。
【請求項２】
前記ロック部材は、水圧を受けて弾性変形するロック部材弾性部と、前記電子機器の本体側に設けた挿入用穴と嵌合する硬質のロック部材ピン部と、を有することを特徴とする請求項１記載の電子機器。
【請求項３】
前記電子機器が大気中にあるときに前記ロック部材弾性部が弾性復帰して、前記ロック部材ピン部が前記挿入用穴から離脱した状態となることを特徴とする請求項２記載の電子機器。
【請求項４】
前記ロック部材弾性部は、ドーム型状に形成されていることを特徴とする請求項２又は３記載の電子機器。
【請求項５】
前記ロック部材弾性部のドーム型状の挟持される外周部上に、止水用の突条部を形成したことを特徴とする請求項４記載の電子機器。
【請求項６】
前記電子機器の本体の内外の気圧を等しくするため、外装に通気可能とする手段を設けたことを特徴とする請求項１乃至５の何れか１項に記載の電子機器。
【請求項７】
前記通気可能とする手段は、マイク用の穴又はスピーカ穴に対して、水は通さないが空気を通すシートを貼り付けて水密構造に構成したものであることを特徴とする請求項６記載の電子機器。
【請求項８】
前記蓋部材は、前記蓋部材が前記収納室の開口を閉じた状態から前記電子機器の本体に対して前記蓋部材をスライドさせた後に、前記電子機器の本体に対して回転することで、前記収納室の開口を開閉するものであって、
前記ロック部材は水圧を受けることで、前記蓋部材が前記電子機器の本体に対してスライドしないように、前記蓋部材と前記電子機器の本体と係合することを特徴とする請求項１乃至７の何れか１項に記載の電子機器。
【請求項９】
前記蓋部材は、前記電子機器の本体に対して回転することで、前記収納室の開口を開閉するものであって、
前記ロック部材は水圧を受けることで、前記蓋部材が前記電子機器の本体に対して回転しないように、前記蓋部材と前記電子機器の本体と係合することを特徴とする請求項１乃至７の何れか１項に記載の電子機器。
【発明の詳細な説明】
【技術分野】
【０００１】
本発明は、防水性能を有する電子機器に係わり、特に、水中に持ち込まれたときに、電池あるいは記録メディアを収納する収納室用の防水蓋を閉状態に係止するロック構造を備えた電子機器に関する。
【背景技術】
【０００２】
一般に、防水性能を持たせて電子機器として構成された、防水カメラ等が使用されている。
【０００３】
このような防水カメラには、電池を収納する電池収納部の電池蓋や撮影データを記録するためのメモリカード収納部のメモリーカード蓋等を防水構造にしたものがある。このような防水カメラでは、使用者が、誤って水中で蓋を開いてしまい、機器内部に水が侵入して機器の故障や撮影データの破損を招く虞がある。
【０００４】
そこで、従来の防水カメラには、防水構造の蓋を閉状態で保持するロック部材と、防水構造の蓋を開くためのロック解除部材とを有するものが提案されている（例えば、特許文献１参照）。
【０００５】
また、従来のカメラにおける防水構造に構成した電池蓋には、カメラ底面部にある電池収納室の開口部に、回動して開閉可能に電池蓋を装着する。これと共に、電池蓋には、スライド移動させて閉止位置にロックし又は係止を解放するスライド式のロック構造を備えたものが提案されている（例えば、特許文献２参照）。
【先行技術文献】
【特許文献】
【０００６】
【特許文献１】特開２００１−１０９０４４
【特許文献２】特開２００３−１４２８４１
【発明の概要】
【発明が解決しようとする課題】
【０００７】
このような防水構造の蓋を備えた防水カメラを水中の深い所で使用するときには、水圧により防水構造の蓋が押し付けられるので、この防水構造の蓋が開くことはない。
【０００８】
しかし、このような防水構造の蓋を備えた防水カメラを、比較的水深の浅い所で使用する場合には、防水構造の蓋が受ける水圧が低いので、防水構造の蓋が簡単に開いてしまう虞がある。
【０００９】
また比較的大型の防水構造の蓋を備えた防水カメラでは、水圧を受ける防水構造の蓋の面積が大きいので、防水カメラ内外の圧力差により防水構造の蓋を自動的に閉めようとする力が得られていた。
【００１０】
しかし、比較的小型の防水構造の蓋を備えた防水カメラでは、比較的水深の深い所で使用する場合でも、不用意に触ると防水構造の蓋が開いてしまう虞がある。
【００１１】
また、スライドして開閉動作する防水構造の蓋では、機器の内外の気圧の圧力の差によってスライド式の防水構造の蓋を閉状態に保持する作用が少ないので、防水構造の蓋が開いてしまう虞がある。
【００１２】
本発明の目的は、水中使用時に、小型のロック構造によって防水構造の蓋を自動的に閉状態にロックすることができるようにした、電子機器を提供することにある。
【課題を解決するための手段】
【００１３】
上記目的を達成するために、本発明の電子機器は、電子機器の本体に形成され、付属品を収納する収納室と、前記収納室の開口を開閉する蓋部材と、前記蓋部材が前記収納室の開口を閉じた状態で、水圧を受けることで、前記蓋部材が前記収納室の開口を開く方向へ移動しないように、前記蓋部材と前記電子機器の本体と係合するロック部材と、を有することを特徴とする。
【発明の効果】
【００１４】
本発明によれば、水中使用時に、防水構造の蓋部材を自動的に閉状態にロックする小型のロック構造を備えた、電子機器を提供することができるという効果がある。
【図面の簡単な説明】
【００１５】
【図１】本発明の電子機器の第１実施の形態に係わるカメラにおける電池蓋のロック構造を設けた部分を、図２のＡ−Ａ線による断面で示す断面図である。
【図２】本発明の電子機器における第１実施の形態に係わるカメラ本体の底面図である。
【図３】本発明の電子機器の第１実施の形態に係わるカメラ本体における電池蓋構造の部分を取り出して示す分解斜視図である。
【図４】本発明の電子機器の第１実施の形態に係わるカメラにおける、水中でロック部材がロックした状態の電池蓋のロック構造を設けた部分を示す断面図である。
【図５】本発明の電子機器の第１実施の形態に係わるカメラにおける、電池蓋を開くためにスライドさせてロックを解除した状態の電池蓋のロック構造を設けた部分を示す断面図である。
【図６】本発明の電子機器の第１実施の形態に係わるカメラの正面から見た斜視図である。
【図７】本発明の電子機器の第１実施の形態に係わるカメラにおける電池蓋を開いた状態を背面から見た斜視図である。
【図８】本発明の電子機器の第２実施の形態に係わるカメラにおける電池蓋のロック構造を設けた部分を示す、縦断面図である。
【発明を実施するための形態】
【００１６】
以下、本発明の第１実施の形態について、図１乃至図７を参照しながら説明する。
【００１７】
図１は、本発明の電子機器の第１実施の形態に係わるカメラにおける電池蓋のロック構造を設けた部分を、図２のＡ−Ａ線による断面で示す断面図である。
【００１８】
図２は、本発明の電子機器における第１実施の形態に係わるカメラ本体の底面図である。
【００１９】
図３は、本発明の電子機器の第１実施の形態に係わるカメラ本体における電池蓋構造の部分を取り出して示す分解斜視図である。
【００２０】
図４は、本発明の電子機器の第１実施の形態に係わるカメラにおける、水中でロック部材がロックした状態の電池蓋のロック構造を設けた部分を示す断面図である。
【００２１】
図５は、本発明の電子機器の第１実施の形態に係わるカメラにおける、電池蓋を開くためにスライドさせてロックを解除した状態の電池蓋のロック構造を設けた部分を示す断面図である。
【００２２】
図６は、本発明の電子機器の第１実施の形態に係わるカメラの正面から見た斜視図である。
【００２３】
図７は、本発明の電子機器の第１実施の形態に係わるカメラにおける電池蓋を開いた状態を背面から見た斜視図である。
【００２４】
図６において、１は、電子機器本体であるカメラ本体であり、２はレンズ、３はレリーズボタン、４は電源ボタン、５はＡＦ補助光、６はズームレバー、７はストロボ発光部である。また、図６又は図７に示すように、８はＵＳＢコネクタなどの外部接続コネクタが収納された外部接続コネクタカバーである。図示しないが、外部接続コネクタは、プリンタやパーソナルコンピュータとケーブルを介して接続することができる。９はストラップリング、１０はモード切替スイッチであり、静止画撮影モードと動画撮影モード、再生モードの切り替えを行う。
【００２５】
１１は液晶ディスプレイであり、撮影時のスルー画像、通常撮影・マクロなど撮影モードのなどのカメラの設定内容、撮影した画像、２次元バーコードといった情報コード等を表示する。１２は操作ボタンであり、設定の変更などに用いられる。１３は三脚座である。
【００２６】
図７において、１４は、付属品である撮影した画像を記録するためのメモリーカードであり、１５は、付属品であるカメラの電池である。このメモリーカード１４は、回路基板上に実装されたメモリーカードスロットに挿入される。この電池１５は、略直方体形状のリチウムイオン電池である。１６は、収納室である電池箱でありメモリーカード１４と電池１５を入れるための開口が設けられている。このカメラ本体１の収納室である電池箱１６の内部には、装填された電池１５の電池端子と接触し、カメラ本体１内部の回路基板に電源を送るための端子部が設置されている。
【００２７】
このカメラ本体１の電池箱１６の入り口用開口部分には、メモリーカード１４や電池１５の出し入れの際に開閉される、蓋部材としての電池蓋１７が開閉可能に装着されている。
【００２８】
このカメラ本体１の収納室である電池箱１６では、電池１５を電池箱１６に押し込むと電池ロックレバー２４によりロックされるよう構成されている。また、電池蓋１７の内側面には、電池蓋１７を閉じた状態で、電池１５を押すことにより電池端子と電池接片が所望の位置関係になるように位置決めするための突起部１７ｅが設けられている。
【００２９】
この電池箱１６は、電池を排出する方向に付勢された排出バネを有しているが、電池ロックレバー２４があるため電池蓋１７をあけても電池が飛び出さないように構成されている。電池箱１６から電池１５を取り出す場合には、電池ロックレバー２４を外し、排出バネの力によって、電池１５を排出させる。
【００３０】
この収納室である電池箱１６の入り口用開口部分と電池蓋１７との間には、電池蓋１７を閉状態に保持するための係合構造が設けられている。
【００３１】
この水密を保って閉じた状態を保持するように係止するための電池蓋の閉止用の係合構造は、電池蓋１７と、収納室である電池箱１６側の入り口用開口部分との間に配設する。この電池蓋の閉止用の係合構造は、電池蓋１７に設けた電池蓋ロック部１７ａ、１７ｂ、１７ｃと、電池箱１６側に設けた電池蓋引っ掛け部１６ａ、１６ｂ、１６ｃとを備える。
【００３２】
この電池蓋の閉止用の係合構造は、電池蓋１７を閉じた状態でスライドさせる動作により、係止又は解除されるように構成されている。電池蓋１７を係止する場合には、電池蓋１７を回動して閉じてから、電池蓋１７を回動軸部１７ｆ側へスライド操作する。すると、電池蓋１７に設けた電池蓋ロック部１７ａ、１７ｂ、１７ｃがそれぞれ対応する、電池箱１６に設けられた電池蓋引っ掛け部１６ａ、１６ｂ、１６ｃの凹部内に嵌まって引っかかり、電池蓋１７が閉状態でロックされる。なお、ロックを解除する場合には、電池蓋１７を自由端側にスライド操作する。すると、電池蓋１７に設けた電池蓋ロック部１７ａ、１７ｂ、１７ｃがそれぞれ対応する、電池箱１６に設けられた電池蓋引っ掛け部１６ａ、１６ｂ、１６ｃの凹部から離脱して、電池蓋１７のロックが外れる。
【００３３】
図７で、１８は、防水パッキンであり、電池蓋１７と電池箱１６の隙間からカメラ本体１内部に水が侵入しないように配置されている。またカメラ本体１における、その他の箇所も防水構造が採られており、カメラ本体１内部へ水が浸入しないように構成されている。
【００３４】
この電池蓋１７は、その先端の電池蓋ロック部１７ａ、１７ｂ、の２箇所でロックされるように構成されている。また、この電池蓋１７では、そのヒンジ側が電池蓋ロック部１７ｃでロックされるように構成されている。これにより閉状態とされた電池蓋１７は、略電池蓋１７の３点において、防水手段としての防水パッキン１８を抑える方向に押圧する状態となって、電池蓋１７が閉じた状態で水の侵入を防止するように構成されている。この防水手段としての防水パッキン１８は、電池蓋１７の内側面における外周近傍を取り巻くように配置されている。
【００３５】
次に、本実施の形態に係わるカメラ本体における、閉じた状態にある電池蓋１７が開く方向へ移動することを制止するよう構成されたロック構造について、図１乃至図３を参照して詳しく説明する。
【００３６】
図１及び図３で、１９は、ロック構造を構成するための電池蓋１７のスライド方向への移動を規制するためのロック部材である。このロック部材１９は、ロック部材ピン部１９ａ、ロック部材弾性部１９ｂ、止水用の突条部１９ｃを有する。ロック部材ピン部１９ａは硬質の樹脂で形成されている。
【００３７】
ロック部材弾性部１９ｂは、ゴム等の弾性部材で、平面視円形の略ドーム型の形状（球面の一部となるドーム型状）に形成されている。
【００３８】
また、止水用の突条部１９ｃは、ロック部材弾性部１９ｂの外周部上にリング状に配置されており、固定部材２０の端面に圧接されて、弾性変形して密着することにより防水パッキンの役割を果たす。
【００３９】
図１乃至図３に示すように、ロック構造を構成するために、ロック部材１９を固定するため用いられる固定部材２０は、厚肉円筒に略ひし形のフランジ部を有する底面部を一体的に形成してなる。この略ひし形のフランジ部を有する底面部の中央には、通水穴２０ａを穿孔する。さらに、この略ひし形のフランジ部の両突出部には、それぞれねじ挿通用の透孔２０ｂ、２０ｃを穿孔する。
【００４０】
また、図１及び図３に示すように、ロック構造が配設される電池蓋１７には、ロック部材１９を取り付けるための凹部である開口部１７０が形成されている。この電池蓋１７の開口部１７０の底面部中央には、ロック部材ピン部１９ａを抜き差し自在に挿入するための挿入用穴１７ｄを穿孔する。これと共に、ロック構造を構成するため、電池箱１６には、挿入用穴１７ｄに連通するように対応した、ロック部材ピン部１９ａを挿入して本体側に嵌合させるため、カメラの本体側に挿入用穴１６ｄを穿孔する。
【００４１】
そして、ロック構造を構成するため図３に示すように、電池蓋１７の開口部１７０内の円形底部には、ロック部材１９をはめ込む。さらに、開口部１７０の内部には、ロック部材１９の上から固定部材２０をはめ込み、固定部材２０の略ひし形フランジ部に穿孔されたねじ挿通用の透孔２０ｂ、２０ｃに、それぞれ図示しない小ねじでビス止めすることにより締結する。
【００４２】
このように設置されたロック部材１９は、そのロック部材弾性部１９ｂの外周部を全周に渡って固定部材２０と開口部１７０の底面との間に挟持される状態で設置される。このとき、ロック部材１９の止水用の突条部１９ｃは、弾性変形しながら固定部材２０に圧接することによって、カメラ本体１内部への水密状態を保持する。
【００４３】
このようなロック構造が構成されたカメラ本体１では、カメラ本体１を大気中で使用する通常の使用状態において、密閉構造のカメラ本体１内部の気圧と、外気の気圧が等しい状態になっている。この通常の使用状態にあるロック構造では、ロック部材弾性部１９ｂの弾性復帰力により、ロック部材ピン部１９ａが挿入用穴１７ｄ及び挿入用穴１６ｄから引き抜かれてスライド方向へのロックが解除された状態となる。このときのロック構造の状態では、電池蓋１７が開動作可能な状態となる。
【００４４】
また、カメラ本体１を水（液体）中で使用する水中の使用状態では、カメラ本体１の周囲にある液体の圧力がロック構造に働き、ロック部材弾性部１９ｂが開口部１７０の底面側へ押やられるように弾性変形する。このようにロック部材弾性部１９ｂが弾性変形した場合には、ロック部材ピン部１９ａが挿入用穴１７ｄ及び挿入用穴１６ｄ内へ挿入されて、スライド方向へ移動が静止されるロック状態となり、電池蓋１７が開動作不能な状態となる。
【００４５】
すなわち、図４に示すように、水中にカメラが入ると固定部材２０の中に通水穴２０ａから水が侵入する。ロック部材弾性部１９ｂは、水圧により変形し、ロック部材ピン部１９ａを押し上げる。ロック部材ピン部１９ａは電池蓋の穴部１６ｄを通過し、電池箱の穴１６ｄに嵌り、電池蓋１７のスライド方向への動きが規制される。回動方向に対しても電池蓋ロック部１７ｂと電池蓋引っ掛け部１６ｂが係合しているため、水中で電池蓋１７が開くことがない。
【００４６】
また、このロック部材１９は、略ドーム型（ドーム型状）に形成されているので、水中において略ドーム型（ドーム型状）の曲面に対して垂直方向に、水深に比例した圧力が加わる。さらに、ロック部材１９は、略ドーム型（ドーム型状）に形成することにより表面積を広げて、大きな水圧を受けるように構成している。よって、カメラ本体１を浅い水深の水圧が低い水中で使用する場合でも、略ドーム型（ドーム型状）のロック部材弾性部１９ｂには、大きな水圧がかかるので、ロック部材ピン部１９ａを挿入用穴１７ｄ及び挿入用穴１６ｄ内へ移動させ、ロック状態とすることができる。このロック部材弾性部１９ｂが、水深が浅く水圧が低い水中でも弾性変形可能となるように、固定部材２０は、その円筒部の内径を大きく形成することによって、ロック部材弾性部１９ｂが水圧に晒される部分の面積を大きくするよう構成されている。
【００４７】
また、撮影者による誤操作をしにくくするために、固定部材２０の通水穴２０ａの径は、小さく形成している。通水穴２０ａの径を小さく形成した場合には、この通水穴２０ａから指が入ってロック部材１９に触れて、破損させたり、ゴミが侵入したりすることを軽減できる。
【００４８】
なお、通水穴２０ａは、ロック部材ピン部１９ａと同軸上にある必要は無く、偏芯した位置に設けてもよい。固定部材２０の平面上で、通水穴２０ａを偏芯して配置した場合には、通水穴２０ａの真上にロック部材ピン部１９ａが位置しなくなり、ロック部材１９に撮影者が触れにくくなる。
【００４９】
また、このロック部材１９は、通常の使用状態において、ロック部材ピン部１９ａの先端部を、電池蓋１７の挿入用穴１７ｄ内に一部かかった状態で臨ませると共に、挿入用穴１６ｄ側へ延出しない状態に設定されている。これにより、ロック部材弾性部１９ｂが水圧を受けて弾性変形し、ロック部材ピン部１９ａが斜めに動いた場合でも、電池蓋１７の挿入用穴１７ｄにロック部材ピン部１９ａが引っ掛かって動かなくなることを抑制できる。
【００５０】
図１に示すように、電池箱１６に穿孔した挿入用穴１６ｄは、貫通穴となっており、電池が収納される空間へとつながっている。このように構成した場合には、挿入用穴１６ｄがカメラ本体１の内部とつながっているので、ロック部材１９のカメラ本体１内部側が、カメラ本体１の内部と同気圧に維持される。
【００５１】
このように挿入用穴１６ｄを貫通穴に構成した場合には、水中にカメラ本体１が入ったときに、ロック部材ピン部１９ａが挿入用穴１６ｄ内を動くことにより排出された空気が、カメラ本体１の内部空間の全体に向けて放出される。これによって、ロック部材ピン部１９ａが挿入用穴１６ｄを移動するときに生じる気圧の変化による抵抗が少なくなるので、ロック部材ピン部１９ａは、長いストロークをスムーズに移動する。これと比較して、挿入用穴１６ｄを有底穴に形成した場合には、ロック部材１９と有底穴である挿入用穴とで囲まれた空間の容積が小さくなり、空気の逃げ場が無くなる。このため、ロック部材ピン部１９ａが挿入用穴１６ｄを移動するときに生じる気圧の変化が大きくなり、ロック部材ピン部１９ａの移動量（ストローク）が小さくなる。
【００５２】
次に、水中からカメラを出した通常の状態とすると、ロック部材弾性部１９ｂには、水圧がかからなくなる。よって、ロック部材１９は、もとの形状に弾性復帰し、ロッ部材ピン部１９ａが電池箱１６に設けられた穴１６ｄから離脱して、ロック解除の状態となる。
【００５３】
上述のように構成したカメラでは、陸上での通常の使用状態のときに自動的にロック部材１９による開放動作（スライド動作）のロック状態が解除される（スライド可能となる）。よって、使用者は、カメラ本体１で電池蓋１７の開放動作（スライド動作）のロック状態を解除するような手間を掛けずに、容易に電池蓋１７の開放動作を行うことが可能となる。
【００５４】
また、上述のカメラは、水中での使用状態において、電池蓋１７をスライドして開く動作が、ロック部材１９によって自動的に開放動作（スライド動作）がロックされるので、電池蓋１７を誤って開けてしまうことを防ぐことができる。
【００５５】
次に、上述したカメラ本体１において、ロック部材１９による電池蓋１７の開放動作（スライド動作）のロック状態が解除された状態で、閉鎖されている電池蓋１７を開放するための構成の要点について説明する。
【００５６】
このカメラ本体１では、電池蓋１７の基端部に、細い円柱状の軸部材を幅方向に沿うように配置して、その両端部を軸部に形成した回動軸部１７ｆを設ける。この回動軸部１７ｆの両端の軸部は、それぞれ電池箱１６の一端部に形成された長穴状のスライド軸受穴に、回転可能でかつ長穴の長手方向に摺動可能な状態で支受されるように取り付けられる。
【００５７】
このカメラ本体１では、電池蓋１７を、電池箱１６の開口を塞ぐ閉状態で係止するために、図３及び図７に示すように、電池蓋１７の各角部近くの３箇所に、電池蓋ロック部１７ａ、１７ｂ、１７ｃを設ける。これら電池蓋ロック部１７ａ、１７ｂ、１７ｃは、図３乃至図５に示すように、それぞれ側面視で略Ｕ字を横にした形状（電池箱１６の開口部の端面方向に向けた形状）の係止部に形成する。
【００５８】
また、これら電池蓋ロック部１７ａ、１７ｂ、１７ｃに対応して、カメラ本体１の電池箱１６側には、側面視で略Ｕ字を横にした形状の係止部の凹部内にスライドしてはまる、爪状に形成した電池蓋引っ掛け部１６ａ、１６ｂ、１６ｃを突設する。
【００５９】
このように構成したカメラ本体１の電池蓋１７を閉じる場合には、図７に示す電池蓋１７を開いた状態から、回動軸部１７ｆを軸にして回転することにより、図５に示す電池箱１６の開口を塞ぐ閉位置へ移動する。
【００６０】
次に、電池蓋１７を、電池箱１６の開口部の端面に沿って、回動軸部１７ｆ側へスライドさせる。すると、電池蓋ロック部１７ａ、１７ｂ、１７ｃの各凹部内に、それぞれ対応する電池蓋引っ掛け部１６ａ、１６ｂ、１６ｃがはまって、図１に示すカメラ本体１を大気中で使用する通常の使用状態における、電池蓋１７の閉状態となる。
【００６１】
このカメラ本体１を水中に持ち込むと、図１に示す通常の使用状態から、ロック部材１９が水圧に押されてロック部材ピン部１９ａを挿入用穴１６ｄに挿入した図４に示す水中の使用状態へ移行する。そして、電池蓋１７は、前述したようにロック部材１９が開放動作（スライド動作）をロックする状態であるいわゆるスライドロック状態に移行する。
【００６２】
また、カメラ本体１を水中から大気中へ持ち出すと、前述したように、ロック部材１９の弾性復帰動作により自動的に図１に示す通常の使用状態に復帰して、スライドロック状態が解除され、スライド可能状態とされる。
【００６３】
カメラ本体１が通常の使用状態にある場合には、電池蓋１７を回動軸部１７ｆと逆方向へスライドさせる。すると、電池蓋ロック部１７ａ、１７ｂ、１７ｃは、電池蓋引っ掛け部１６ａ、１６ｂ、１６ｃから離脱して係合解除の状態とされ、電池蓋１７の回動方向のロックが外れる。これと同時に、電池蓋１７のスライド動作に従って防水パッキン１８（防水手段）の一部が電池蓋１７から外れるので、カメラ本体１内部の水密状態が解除された、図５に示す状態となる。この図５に示す状態では、電池蓋１７を回動して、図７に示すように開くことができる。
【００６４】
次に、カメラ本体１が大気中にある状態で、カメラ本体１内部の気圧と、カメラ本体１外部の気圧とを等しくし、カメラ本体１内外の気圧差で電池蓋１７が開かなくなることを防止するための構成について説明する。
【００６５】
図６及び図７に示すように、本実施の形態では、カメラ本体１内外の気圧差を解消するための手段として、カメラ本体１の外装上部に穿孔した、マイク用の穴２１を利用して通気可能とする手段を設ける。このカメラ本体１のマイク用の穴２１が形成された外装の内面とマイク上面との間には、図示しないが、撥水性のシートを配置して水密構造に構成する。この撥水性のシートは、水を通さないが空気を通す特性を持つ。このようにカメラ本体１の外装にマイク用の穴２１を穿設した場合には、マイク穴２１とカメラ本体１内部とは、撥水性のシートを介して通気可能な状態であるので、カメラ本体１内部の空気がマイク用の穴２１を通って出入りすることができる。
【００６６】
このように構成することによって、このカメラ本体１では、マイク用の穴２１と撥水性のシートとを介して、カメラ本体１の内部に空気が自由に出入りすることができるので、大気中では常にカメラ本体１の内外で、気圧が等しくなっている。
【００６７】
よって、例えば、通常の水密構造の機器においては、気圧の低い環境で電池蓋１７を閉じ、気圧が高い環境で電池蓋１７を開こうとしたときに、カメラ本体１内部の気圧が低いため電池蓋１７が開かなくなってしまうことを防止できる。
【００６８】
また、本実施の形態のカメラ本体１では、内部の温度が上昇して内部の空気が膨張したときに、マイク用の穴２１と撥水性のシートとを介して空気をカメラ本体１の外部へ逃がすことができる。
【００６９】
よって、例えばカメラ本体１を水中にいれたとき、カメラ本体１の内部の気圧が上がってロック部材１９を押圧する水圧に打ち勝ち弾性変形することを阻止し、ロック部材１９によるスライドロックが働くことの妨げとなることを抑制できる。
【００７０】
なお、上述したカメラ本体１の外装部分に設ける通気可能とする手段は、マイク用の穴２１を利用する構成の他に、スピーカの音を外に出すためのスピーカ穴２５を利用して構成しても良い。この場合には、スピーカ穴２５に対しても水は通さないが空気を通すシートを貼り付けて水密構造に構成する。
【００７１】
さらに、カメラ本体１による通常撮影時には、空気が上に移動することから、カメラ上面に配置したマイク穴２１から空気を逃がすように構成する。これと共に、カメラ本体１で縦撮り撮影をする際に、カメラ側面に設けたスピーカ穴２５から空気を逃がすように構成した場合には、カメラ本体１内の加圧された空気を逃がす効率を高めることができる。
【００７２】
また、カメラ本体１において、耐水圧性を高める場合には、マイク穴２１、スピーカ穴２５を開けずに、別途空気弁を設けて通気を図るように構成してもよい。
【００７３】
上述のように、カメラ本体１の外装部分に、通気可能とする手段を設けた場合には、水圧の低い浅瀬でカメラ本体１を使用する場合においても、確実にロック部材１９を作動させ、自動的にスライドロックすることができる。
【００７４】
次に、本発明の第２実施の形態について、図８を参照して説明する。
【００７５】
図８は、本発明の電子機器の第２実施の形態に係わるカメラにおける電池蓋のロック構造を設けた部分を示す、縦断面図である。
【００７６】
本第２実施の形態は、電池蓋２３の開閉を電池蓋２３の回動軸部２３ｆを回転軸とした回動動作だけで行うように構成したものに対して、ロック部材１９を回動制止用ロック構造として機能するよう構成したものである。
【００７７】
本第２の実施の形態に係わるカメラの要部を示す図８で、２２は、電池箱、２３は、電池蓋である。電池蓋２３は、カメラ本体１の底面に対応する部分から直角に折曲してカメラ本体１の側面に対応した部分に連なる、側面視で直角に屈曲した鉤形（略Ｌ字を横に倒した形状）に形成されている。この電池蓋２３は、カメラ本体１の底面に対応する部分側の端部に、細い円柱状の軸部材を幅方向に沿うように配置して、その両端部を軸部に形成した回動軸部２３ｆを設ける。この回動軸部２３ｆの両端の軸部は、それぞれ電池箱１６の開口の一端側に形成された軸受穴に回転自在に支受される。このようにカメラ本体１に軸着された電池蓋２３は、回動軸部２３ｆを軸として回動することにより、電池箱２２の開口部を開閉可能に構成されている。
【００７８】
また、この電池蓋２３には、電池箱２２を閉じた状態で着脱可能に係止するための係止構造を構成するため、電池蓋２３の自由端部に内側に小突台状に突出する電池箱引っ掛け爪２３ｅを設ける。これと共に、カメラ本体１の電池箱２２部分における所定位置には、電池箱引っ掛け爪２３ｅに係止可能に対応して、小突台状に突出するよう形成された電池蓋引っ掛け爪２２ｅを設ける。
【００７９】
この電池蓋２３用の係止構造では、電池蓋２３を回動して閉じる動作に従って、電池箱引っ掛け爪２３ｅが電池蓋引っ掛け爪２２ｅを乗り越えて相互に圧接し、図８に示す係合状態となって電池蓋２３が閉じ位置に係止される。
【００８０】
また、この電池蓋２３用の係止構造で電池蓋２３を開く場合には、電池蓋２３を開く方向に回動する動作に従って、電池箱引っ掛け爪２３ｅが電池蓋引っ掛け爪２２ｅを乗り越えて係合が外れて、電池蓋２３が開く。
【００８１】
この図８に示すカメラ本体１では、カメラ本体１の底面側から直角に折曲して立ち上がりカメラ本体１の縦側部に隣接する部分に、ロック部材１９及び固定部材２０を配置する。これと共に、カメラ本体１の縦側部には、ロック部材１９のロック部材ピン部１９ａを、抜き差し可能に挿入する挿入用穴１６ｄ及び挿入用穴２３ｄを配置して構成する。
【００８２】
なお、本第２の実施の形態では、電池蓋２３をスライドさせないので、回動軸部２３ｆを支受する軸受け穴を丸穴に形成したため、スライド用の長穴を設けていない。さらに、電池蓋をスライドして係止するための電池蓋引っ掛け部１６ａ、１６ｂ、１６ｃ及び電池蓋ロック部１７ａ、１７ｂ、１７ｃに相当する部分を設けていない。
【００８３】
上述のように構成した本第２の実施の形態のカメラ本体１では、カメラ本体１が水中に置かれたときに、水圧によりロック部材ピン部１９ａが挿入用穴２３ｄ及び挿入用穴１６ｄにはまる。このとき、カメラ本体１では、電池蓋２３が開く方向に回動しようとしたときに、電池蓋２３の直角に折曲した自由端部がカメラ本体１の縦側部に対してスライドすることになる。ところが、この動作は、挿入用穴１６ｄに嵌まったロック部材ピン部１９ａがせん断力として受けて制止する。よって、電池蓋２３は、開く方向に回動できないので、電池蓋２３を閉じた状態を保つ開放動作（スライド動作）のロック状態であるいわゆるスライドロック状態となる。
【００８４】
このように構成した本第２の実施の形態では、カメラ本体１を陸上（大気中）で使用するときに、比較的に容易に電池蓋２３を開けることができる。しかし、カメラ本体１を水中で使用するときには、ロック部材１９が開放動作（スライド動作）をロックする状態であるいわゆるスライドロック状態となって、電池蓋２３が開く動作を制止する。よって、このロック部材１９が開放動作（スライド動作）をロックする構成を備えたカメラ本体１では、誤って電池蓋２３が開くことを防止できる。
【００８５】
なお、本第２の実施の形態に係わる以上説明した以外の構成、作用、効果は、前述した第１実施の形態と同様であるので、その説明を省略する。
【産業上の利用可能性】
【００８６】
本発明は、デジタルカメラ、ビデオカメラ、携帯電話、ポータブルオーディオプレイヤ等の防水機能を有する電子機器に適用できる。
【符号の説明】
【００８７】
１  カメラ本体
１４  メモリーカード
１５  電池
１６  電池箱
１７  電池蓋
１７ａ、１７ｂ、１７ｃ  電池蓋ロック部
１７ｄ  挿入用穴
１７ｅ  突起部
１７ｆ  回動軸部
１８  防水パッキン
１９  ロック部材
１９ａ  ロック部材ピン部
１９ｂ  ロック部材弾性部
１９ｃ  止水用の突条部
２０  固定部材
２０ａ  通水穴
２０ｂ、２０ｃ  ねじ挿通用の透孔
２１  マイク用の穴
２２  第２実施の形態の電池箱
２２ｅ  電池蓋引っ掛け爪
２３  第２実施の形態の電池蓋
２３ｅ  電池箱引っ掛け爪２３ｅ
２３ｆ  回動軸部
２５  スピーカ穴
【図１】
2011059236.tif 000003
【図２】
2011059236.tif 000004
【図３】
2011059236.tif 000005
【図４】
2011059236.tif 000006
【図５】
2011059236.tif 000007
【図６】
2011059236.tif 000008
【図７】
2011059236.tif 000009
【図８】
2011059236.tif 000010